(57)【要約】      （修正有）【課題】緊急簡易ベッドの脚部を容易に折り畳み可能にする。【解決手段】支持物体上への簡易ベッド（cot）の前進に伴い１以上の脚を折り畳むことのできる簡易ベッドが開示される。簡易ベッドは、フレーム及び脚１８を備えた車輪付き運搬機、及び脚部解放組立体１４を含む。脚部解放組立体１４は、接触部材、少なくとも１つの脚１８に解放可能に係合する脚部解放部材７０、及び接触部材と脚部解放部材７０を作動可能に接続したリンク部材７２を含む。接触部材は、圧力感応性であり、且つ接触部材への加圧により作動する。脚部解放部材７０は、接触部材の作動により少なくとも１つの脚１８をそれとの係合から解放する。少なくとも１つ脚１８は、脚部解放部材７０との係合の解除によりフレームに対して折り畳める。【選択図】図４
2014097412.tif 000002
【特許請求の範囲】
【請求項１】
車輪付き運搬機及び脚部解放組立体を含む簡易ベッドであって、
車輪付き運搬機は、フレームと、フレームに回動可能に接続された前脚と、フレームに回動可能に接続された後脚とを含み、
脚部解放組立体は、車輪付き運搬機に回動可能に接続された接触部材と、前脚及び後脚の少なくとも１つに解放可能に係合する回動可能な脚部解放部材と、接触部材と脚部解放部材を作動可能に接続したリンク部材とを含み、
前記接触部材は、圧力感応性であり、接触部材への加圧により作動し、
前記脚部解放部材は、接触部材の作動により前脚及び後脚の少なくとも１つから離脱するように回動し、
前記前脚及び後脚の少なくとも１つは、脚部解放部材からの離脱によりフレームに対して折り畳める前記簡易ベッド。
【請求項２】
前記フレームが車輪付き前部担架組立体及び車輪付き後部担架組立体を含み、前記車輪付き前部担架組立体及び車輪付き後部担架組立体が、共通の軌道を共有し、且それぞれ少なくとも１つの回動部材を含み、前記前脚が車輪付き前部担架組立体の回動部材に回動可能に接続され、前記後脚が車輪付き後部担架組立体の回動部材に回動可能に接続される、請求項１に記載の簡易ベッド。
【請求項３】
前記脚部解放部材が、車輪付き前部担架組立体及び車輪付き後部担架組立体の少なくとも１つに解放可能に係合すると共に、接触部材の作動により、前脚及び後脚の少なくとも１つがフレームに対して折り畳めるように、車輪付き前部担架組立体及び車輪付き後部担架組立体の少なくとも１つから離脱する、請求項２に記載の簡易ベッド。
【請求項４】
前記脚部解放部材の回動により緊張して前後脚の少なくとも１つから離脱させると共に、脚部解放部材の回動により弛緩して前後脚の少なくとも１つに係合させる、バネを脚部解放部材が含む、請求項１に記載の簡易ベッド。
【請求項５】
前記前後脚の少なくとも１つに係合する脚部解放部材の回動により接触部材への加圧が解除されると、前記接触部材が作動を停止する、請求項４に記載の簡易ベッド。
【請求項６】
加圧による前記接触部材の作動に伴って緊張すると共に、加圧の解除による接触部材の作動停止に伴って弛緩する、バネを接触部材が含む、請求項１に記載の簡易ベッド。
【請求項７】
前記脚部解放部材が、接触部材の作動停止により前脚及び後脚の少なくとも１つに係合するように回動する、請求項６に記載の簡易ベッド。
【請求項８】
前記接触部材及び脚部解放部材の他方の作動が、前脚及び後脚の少なくとも１つの固定時又は固定からの解除時に、接触部材及び脚部解放部材の一方の作動に連動するように、前記リンク部材が接触部材及び脚部解放部材の一方の作動を接触部材及び脚部解放部材の他方に変換し、前記接触部材の作動が、該接触部材の作動及び作動停止を含み、前記脚部解放部材の作動が、前脚及び後脚の少なくとも１つの係合及び離脱を含む、請求項１に記載の簡易ベッド。
【請求項９】
前記接触部材が、支持物体への簡易ベッドの前進により支持物体と接触するように位置付けされ、支持物体への簡易ベッドの前進に伴う前記接触部材との支持物体の接触により、前脚及び後脚の少なくとも１つがフレームに対して折り畳めるように、接触部材が作動する、請求項１に記載の簡易ベッド。
【請求項１０】
前記簡易ベッドが、車輪付き運搬機のフレーム上面に取り付けられた患者支持部を更に含む、請求項１に記載の簡易ベッド。
【請求項１１】
前記車輪付き運搬機が、フレームの先端部に近接して接続された簡易ベッド支持部を更に含み、前記接触部材が該接触部材への加圧により簡易ベッド支持部に対して回動するように、接触部材が簡易ベッド支持部に回動可能に接続される、請求項１に記載の簡易ベッド。
【請求項１２】
前記簡易ベッドが、フレームの中央領域及びフレームの後端部の少なくとも１つに近接して接続された１以上の簡易ベッド支持部を更に含む、請求項１１に記載の簡易ベッド。
【請求項１３】
前記脚部解放組立体が、接触部材の作動とは無関係に、前脚及び後脚の少なくとも１つをフレームに対して折り畳み可能に作動できる、解放ハンドルを更に含む、請求項１に記載の簡易ベッド。
【請求項１４】
前記脚部解放組立体が、安全装置の解除前に、前脚及び後脚の少なくとも１つを折り畳めなくする安全装置を更に含む、請求項１に記載の簡易ベッド。
【請求項１５】
前記簡易ベッドが、車輪付き運搬機に回動可能に接続された第二接触部材と、後脚に解放可能に係合される第二脚部解放部材と、第二接触部材と第二脚部解放部材を作動可能に接続したリンク部材とから構成される、第二脚部解放組立体を含み、
前記接触部材の作動により前脚がフレームに対して折り畳めるように、前記脚部解放組立体が前脚に解放可能に係合し、
前記第二接触部材の作動により後脚がフレームに対して折り畳めるように、前記第二脚部解放組立体が後脚に解放可能に係合する、請求項１に記載の簡易ベッド。
【発明の詳細な説明】
【技術分野】
【０００１】
本発明の実施の形態は、概ね、緊急車両（emergency vehicles）で患者を搬送する際に使用される緊急簡易ベッド（emergency cot）に関し、特に、折り畳み式脚部を備えた車輪付き運搬機と、少なくとも１つの折り畳み式脚部を自動的に折り畳みできる脚部解放組立体（leg release assembly）とから構成される、転動式の簡易ベッド（roll-in cot）に関する。
【背景技術】
【０００２】
転動式の緊急簡易ベッドは、本明細書では簡易ベッドと称するが、救急車、ライトバン、ステーション・ワゴン、モジュール式緊急車両、航空機、ヘリコプター等の様々な形式の緊急車両へ転入し得るように構成される。転動式の簡易ベッドをこのような車両に積載可能にするために、簡易ベッドは、通常、緊急車両における車台（platform）の高さと同じ高さに負荷車輪（load wheel）を備えるように構成される。
【０００３】
積載する際に、転動式の簡易ベッドの前脚次いで後脚が、折り畳まれ、転動式の簡易ベッドの担架又は他の患者支持部の下方に位置される。前脚が折り畳まれると、負荷車輪は体重を簡易ベッドの先端部に引き継ぐものの、後脚を折り畳んだ後に、転動式の簡易ベッドを更に車台に押し付けている時には、操作者は、患者及び転動式の簡易ベッドの両方の重量の一部を簡易ベッドの後端部で、まだ支持する必要がある。積載時に操作者の簡易ベッドを支持し押し進める能力は、操作者が回動脚の折り畳みを生じさせるようにハンドルを操作する必要があることにより、更に複雑である。
【発明の概要】
【発明が解決しようとする課題】
【０００４】
緊急簡易ベッドの多くの形態では、通常、積載時に操作者が緊急簡易ベッドの後端をかなりの時間支持する必要のある単一のハンドル操作によって、前後脚が折り畳まれる。他の形態では、前後脚用に別々のハンドルが設けられている。前後脚の操作に別々のハンドルを設けることにより、それぞれのハンドル操作と車台に向かって更に押し込まれる簡易ベッドとでまず前脚が作動され、後脚の折り畳み前に前脚が中間位置で前脚に取り付けられた車輪に支持されるようになる。このようにして、簡易ベッド及び患者のより大きい重量が車台及び後脚で支持される間は、操作者はより小さい重量を支持するだけでよく、力のモーメントも軽減される。
【０００５】
しかしながら、患者を緊急救助車両に積載中にそれぞれのハンドルを順次操作する際に付加される複雑さは、しばしば扱いにくく、それぞれのハンドルに順序を外れた操作をもたらす可能性があり、これにより、操作者は予期することなく患者及び簡易ベッドの重量を支持しなければならなくなる。
【０００６】
所望の順序で簡易化された前後脚の折り畳みを可能にし、且つ、上述の１以上の不都合を克服又は改善する、簡易ベッドを本発明が提供するのは、上述の背景に対してである。
【課題を解決するための手段】
【０００７】
本発明の一実施の形態によれば、簡易ベッドは車輪付き運搬機及び脚部解放組立体を含む。車輪付き運搬機は、フレームと、フレームに回動可能に接続された前脚と、フレームに回動可能に接続された後脚とを含む。脚部解放組立体は、車輪付き運搬機に回動可能に接続された接触部材と、前脚及び後脚の少なくとも１つに解放可能に係合する回動可能な脚部解放部材と、接触部材と脚部解放部材を作動可能に接続したリンク部材とを含む。接触部材は、圧力感応性であり、且つ、加圧により作動する。脚部解放部材は、接触部材の作動により前脚及び後脚の少なくとも１つから離脱するように回動する。前脚及び後脚の少なくとも１つは、脚部解放部材からの離脱によりフレームに対して折り畳まれる。
【０００８】
本発明の様々な実施の形態の上述及びその他の特徴は、以下の詳細な解説から及び添付の図面と共に明らかになるであろう。本発明の以下の様々な実施の形態における詳細な説明は、添付の図面を併せて読み取るとき、最も良く理解することができる。図面においての同様の構成は同じ参照番号で示される。
【図面の簡単な説明】
【０００９】
【図１】本発明の一実施例の簡易ベッドの側面斜視図。
【図２】本発明の別の実施例における簡易ベッドの脚部解放組立体の上面斜視図。
【図３】本発明の別の実施例における簡易ベッドの脚部解放組立体の接触部材の側面斜視図。
【図４】本発明の別の実施例における簡易ベッドの脚部解放組立体の脚部解放部材の上面斜視図である。
【発明を実施するための形態】
【００１０】
図面に記載の実施例は、本質的に事例であり、特許請求の範囲により定義された本発明を限定するためのものではない。更に図面及び本発明の個々の態様は、詳細な説明に照らすと、より一層十分に明らかになり且つ理解されるであろう。
【００１１】
本発明の実施例は、一般に、患者を緊急車両に搬送する転動式の簡易ベッドに関する。まず図1を参照すると、脚を引き伸ばした簡易ベッド１０が図示される。簡易ベッド１０は、車輪付き運搬機１２及び脚部解放組立体１４を含む。車輪付き運搬機１２は、簡易ベッド１０の操作、特に緊急車両１１内へ又は車両１１からの操作を容易にするよう機能する。車輪付き運搬機１２は、フレーム１６、前脚１８、後脚２０、及び対向する一対の側部フレーム部材２２，２４を含む。フレーム１６は、前後脚１８，２０により支持され、様々な形態の中のいずれか１つで備え付けられ得る。簡易ベッド１０は、また、患者の搬送に使用できるように、フレーム１６の上面に取り付けられ得る患者支持部２６を含むことができる。患者支持部２６は、見ることのできる担架の形態であっても、あるいは、簡易ベッド１０のフレーム１６に取り外せないように固定される、分割された担架の形態であってもよい。
【００１２】
フレーム１６は、また、患者の搬送に関連することのある医療器械又はその他の装置を取り付けるために、クランプ、留め金、凹部、チャンネル等の備えを含むことができるが、これらに限定されるものではない。例えば、フレーム１６は、酸素ボンベ又は心臓監視装置を保持する入れ物を含むことができる。更に、フレーム１６は、後により詳細に説明するが、通常、車輪付き前部担架組立体３０及び車輪付き後部担架組立体を含み、これらは前後脚１８，２０の回動を容易にする。更に、フレーム１６は、緊急車両への簡易ベッド１０の積載を容易にするために、高さが調節可能である。例えば、前後脚１８，２０のそれぞれの長さ及び／又は位置を調節して、地表に対してフレーム１６の高さを変更することができる。
【００１３】
前後脚１８，２０は、通常、特に患者を支える時に簡易ベッド１０に安定性を与える、一対の脚１８Ａ，１８Ｂ及び２０Ａ，２０Ｂをそれぞれ含む。しかし、車輪付き運搬機１２は、一対の後脚２０Ａ，２０Ｂを備えた１つの前脚１８、一対の前脚１８Ａ，１８Ｂを備えた１つの後脚２０、又は１つの前脚１８及び１つの後脚２０の両方を含んでもよい、と考えられる。更に、一実施の形態では、フレーム１６に対して折り畳まれると、前後脚１８，２０が入れ子式幾何学的配置（nested orientation）をとるように、一対の前脚１８Ａ，１８Ｂは、一対の後脚２０Ａ，２０Ｂよりも大きな又は小さな間隔で隔てられる。またしかし、前後脚１８，２０を前方方向又は後方方向に折り畳むことができる、と考えられる。
【００１４】
前後脚１８，２０は、通常フレーム１６の下側に回動可能に接続される。これにより、前後脚１８，２０は、本明細書においてより詳細に説明するように、回動するとフレーム１６に対して折り畳める及び引き伸ばすことができる。一実施の形態では、前後脚１８，２０のそれぞれの対は、フレーム１６の近位に位置する脚１８，２０のそれぞれの対の各端部を介して、フレーム１６の幅を広げるバーを用いて、フレーム１６に接続される。更に、脚１８，２０のそれぞれの対は、これらの各脚間に伸びるそれぞれの筋交い部材で安定化され得る。
【００１５】
更に、それぞれの脚１８，２０はがに股形であってもよい。即ち、一対の前脚１８が前方に曲げられ、一対の後脚２０が後方に曲げられる。また、脚１８，２０のそれぞれの対から支柱（strut）が伸びていてもよく、フレーム１６に対して引き伸ばされた脚１８，２０を保持するために、支柱はフレーム１６を係止することができる。また、脚１８，２０はフレーム１６から垂直に伸びてもよい、と考えられる。
【００１６】
図1に示すように、前脚１８Ａ，１８Ｂは、横木１９に回動可能に取り付けられたフレーム１６の近位に各端部が位置する、前部支持部材３８Ａ，３８Ｂをそれぞれ含むことができる。一実施の形態では、横木１９は、車輪付き前部担架組立体３０を介して各端部に支持される。各車輪付き担架組立体３０は、それぞれの軌道３１に摺動可能に取り付けられる。各軌道３１は、概ね側部フレーム部材２２，２４の内側対向面に沿って、フレーム１６に取り付けられる。各車輪付き前部担架組立体３０は、横木１９の各端部が支持される支持取付け具３３を有する。各支持取付け具３３は、ひいては各レール３１によって支持されるローラ又は車輪３５（図４に図示）を回動可能に取り付ける。
【００１７】
図４が最も良く示すが、フレーム１６から遠位に位置する前部支持部材３８Ａ，３８Ｂの各端部が、横架支柱（cross-support）４０に回動可能に取り付けられ、支柱４０は前脚１８Ａ，１８Ｂの各前部フレーム部材２８Ａ，２８Ｂ間に取り付けられる。各軌道３１Ａ，３１Ｂに沿ってこれらの軌道を通る車輪付き担架組立体３０Ａ，３０Ｂの摺動運動により、前部支持部材３８Ａ，３８Ｂが横木１９の周りを回動している間、前部フレーム部材２８Ａ，２８Ｂの近位端がヒンジの周りを回動して、フレーム１６に対して前脚１８Ａ，１８Ｂを折り畳み又は引き伸ばしできるように、フレーム１６の近位に位置する前部フレーム部材２８Ａ，２８Ｂの各端部は、ヒンジ又は他の回動可能若しくは回転可能な接続金具を介して、フレーム１６に回動可能に接続され得る。
【００１８】
一実施の形態では、前部支持部材３８Ａ，３８Ｂの端部が横木１９に回動可能に取り付けられるのと同様に、前部フレーム部材２８Ａ，２８Ｂの近位端を接続するために、また、車輪付き運搬機１２に更なる支持を与えるために、横木（図示せず）を用いてフレーム１６の幅を広げることができる。更に、フレーム１６から遠位の前部フレーム部材２８Ａ，２８Ｂの各端部に、前部接続金具３２Ａ，３２Ｂを前輪３４Ａ，３４Ｂに接続することができる。前輪３４Ａ，３４Ｂは、足踏みロック部材３６付きの慣用のキャスター車輪であってもその他の車輪であってもよい。
【００１９】
車輪付き担架組立体３０は軌道３１に沿って双方向に摺動できることが好まれる。このようにして、前脚１８Ａ，１８Ｂの折り畳みに伴って、これらがフレーム１６の下方に折り畳めるように、横木１９を介して接続された支持部材３３Ａ，３３Ｂが、解放状態において、フレーム１６の先端６０に近接した位置から軌道３１に沿った位置の周りにまで、軌道３１Ａ，３１Ｂに沿って摺動する。これは全体的に符号６２で示される。逆に、緊急車両１１から簡易ベッド１０を取り出す時などに脚１８Ａ，１８Ｂを引き伸ばすと、図４に示す固定状態に戻るまでは、支持部材３３Ａ，３３Ｂが各軌道３１Ａ，３１Ｂに沿って摺動するようになり、これにより簡易ベッド１０を図４に示す立ち上げ状態に固定する。
【００２０】
同様に、図1に示すように、後脚２０Ａ，２０Ｂは、フレーム１６の近位に位置する各端部が後部横木５３に回動可能に取り付けられた、後部支持部材５２Ａ，５２Ｂをそれぞ含むことができ、後部横木は一対の車輪付き後部担架組立体（図示せず）間に取り付けられる。車輪付き後部担架組立体は車輪付き前部担架組立体３０と同様であるので、簡略化のため、更なる開示を行わない。更に、車輪付き後部担架組立体が軌道３１に沿って摺動するかさもなければ双方向に移動できるように、各車輪付き後部担架組立体は軌道３１と同様の軌道（図示せず）を利用する。これにより、後脚２０Ａ，２０Ｂの後部支持部材５２Ａ，５２Ｂは、横木５３が車輪付き後部担架組立体を介して軌道に沿って移動すると、横木５３の周りを回動することができる。
【００２１】
このように、後脚２０の引き伸ばしに伴って、車輪付き後部担架組立体が、簡易ベッドの後端６４に近接する位置から、例えば前脚解放部材７０（図４）と同様の少なくとも１つの脚部解放部材が各車輪付き担架組立体に係合する位置に、軌道に沿って摺動するかさもなければ移動する。これにより、図1が示すように、後脚２０がフレーム１６に対して引き伸ばされた状態に固定される。逆に、後脚２０の折り畳みに伴って、作動可能に接続された車輪付き後部担架部材は、後脚２０がフレーム１６の下方に折り畳めるように、フレーム１６の後端６４に近接する各軌道に沿って摺動するかさもなければ移動する。後部支持部材５２Ａ，５２Ｂは、フレーム１６から遠位の各端部が、後脚２０Ａ，２０Ｂの後部フレーム部材４２Ａ，４２Ｂに接続され得る。
【００２２】
一実施の形態では、後部支持部材５２Ａ，５２Ｂが軌道３１に沿って回動する間、後部フレーム部材４２Ａ，４２Ｂの近位端がヒンジ４４Ａ，４４Ｂの周りを回動して、フレーム１６に対して後脚２０Ａ，２０Ｂを折り畳み又は引き伸ばしできるように、フレーム１６の近位に位置する後部フレーム部材４２Ａ，４２Ｂの各端部は、ヒンジ４４Ａ，４４Ｂ又は他の回動可能若しくは回転可能な接続金具を介して、フレーム１６に回動可能に接続され得る。別の実施の形態では、後部フレーム部材４２Ａ，４２Ｂの近位端と各ヒンジ４４Ａ，４４Ｂとを接続する、フレーム１６の幅を横木４６が広げて、車輪付き運搬機１２に更なる支持を与えることができる。
【００２３】
更に、フレーム１６から遠位の後部フレーム部材４２Ａ，４２Ｂの各端部に、後部接続金具５０Ａ，５０Ｂを後輪４８Ａ，４８Ｂに接続することができる。後輪４８Ａ，４８Ｂは、足踏みロック部材３６付きの慣用のキャスター車輪であってもその他の車輪であってもよい。更に、後脚２０Ａ，２０Ｂは、これらに追加の強度及び安定性を与える横架支柱５４Ａ，５４Ｂを含むことができる。一実施の形態では、後部支持部材５２Ａ，５２Ｂのフレーム１６から遠位の各端部は、横架支柱５４Ｂに回動可能に接続される。
【００２４】
図1に示すように、車輪付き運搬機１２は、１以上の簡易ベッド支持体５６Ａ，５６Ｂ，５６Ｃ，５６Ｄ，５６Ｅを更に含むことができる。簡易ベッド支持体５６Ａ，５６Ｂには、慣用の支持取付け具５８をフレーム１６に取り付けることができ、また、車軸５７を接続することができる。なお、前記取付け具５８は、フレーム１６の先端６０に近接する側部フレーム部材２２，２４に取り付けられる。車軸５７は、一方の側部フレーム部材２２，２４から他方の側部フレーム部材２２，２４まで、必ずしも完全に伸びる必要はない、と考えられる。図示の実施例では、簡易ベッド支持体５６Ａ，５６Ｂは装填車輪（loading wheel）から構成される。しかし、他の実施例では、簡易ベッド支持体５６Ａ，５６Ｂは、ローラ、滑りブロック（skid block）、レール、段差板（bump plate）等から構成されてもよい、と考えられる。
【００２５】
フレーム１６の先端６０に近接して設けられた簡易ベッド支持体５６Ａ，５６Ｂの他に、又はこれとは別に、フレーム１６の中央部６２及び／又はフレーム１６の後端６４に近接して簡易ベッド支持体を設けてもよい。簡易ベッド支持体５６Ａ，５６Ｂは、図1に示すように、支持物体６６に向かって前進している時、簡易ベッド１０の重量を実質的に支えるために使用され得る。支持物体６６は、緊急車両１１の車台であっても、簡易ベッド１０を支持できる他の任意の物体であってもよい。
【００２６】
簡易ベッド１０の脚部解放組立体１４は、フレーム１６に対する前脚１８及び後脚２０の少なくとも１つの折り畳み能力を制御する。より具体的には、一実施の形態において、脚部解放組立体１４は、前脚１８及び後脚２０の少なくとも１つが脚部解放組立体１４から離脱する前に、折り畳めないよう機能する。
【００２７】
それ故に、脚部解放組立体１４は、一実施の形態では前後脚１８，２０の一方の折り畳み能力、あるいは、別の実施の形態では前後脚１８，２０双方の折り畳み能力を制御できる、と考えられる。単一の脚部解放組立体１４は、前後脚１８，２０双方の折り畳み能力を制御できる、と更に考えられる。更に、かかる折り畳みは実質的に同時に起こり得るか、あるいは、フレーム１６の先端６０及び支持物体６６への前脚１８の前進中に、体重のかかる簡易ベッド１０を後脚２０が支持できるように、後脚２０の折り畳みは前脚１８の折り畳みから遅延して又は幾分遅延して起こり得る、と考えられる。
【００２８】
図２に示すように、脚部解放組立体１４は、車輪付き運搬機１２に回動可能に接続された接触部材６８と、前後脚１８，２０の少なくとも１つに作動可能及び解放可能に係合する脚部解放部材７０と、接触部材６８と脚部解放部材７０を作動可能に接続したリンク部材７２とを含む。接触部材６８は、圧力感応性であり、且つ、加圧により作動して脚部解放部材７０を作動させる。脚部解放部材７０の作動により、その脱離を引き起こして、前後脚１８，２０の少なくとも１つがフレーム１６に対して折り畳めるようになる。
【００２９】
より具体的には、図1〜図３に示すように、接触部材６８は、概ね、バンパー７４と、これを車輪付き運搬機１２に回動可能に接続するプレート７６とを含む。プレート７６は、支持物体６６（図1に示す緊急車両１１の車台等）に向かう簡易ベッド１０の前進により支持物体６６と接触するように、バンパー７４を位置付ける。プレート７６は、これは通常、備え付けられているならば簡易ベッド支持体５６Ａ，５６Ｂに、又は簡易ベッド支持体５６Ａ，５６Ｂを支持する車軸５７に回動可能に接続されるが、即ちフレーム１６の先端６０に近接して位置するが、加圧により、通常支持物体６６との接触により、簡易ベッド支持体５６Ａ，５６Ｂとプレートの接続部、又は車軸５７、又はフレーム１６の周りをバンパー７４が回動できるようにする。
【００３０】
これにより、一実施の形態では、接触部材６８が作動すると、支持物体６６への簡易ベッド１０の前進により前脚１８の自動的な折り畳みが可能になり、操作者は、脚部解放部材７０に作用する解放ハンドルを手動で操作する必要がない。より具体的には、接触部材６８の作動に伴って、リンク７２の後方運動により、その時固定していた前脚１８から脚部解放部材７０が離脱し、これにより、簡易ベッド１０が支持物体６６に向かって前進している時、前脚１８がフレーム１６に対して折り畳み可能になる。別の実施の形態では、同様の脚部解放組立体を設けて、簡易ベッド１０が支持物体６６に向かって前進している時、同様にフレーム１６に対する後脚の折り畳みを可能にしてもよく、操作者は、引き伸ばし姿勢で後脚を固定している、脚部解放部材に作用する解放ハンドルを手動で操作する必要がない。
【００３１】
前述のように、接触部材６８は、圧力感応性であり、これに圧力を加えると作動する。逆に、接触部材６８はこれへの加圧を解除すると作動を停止する、と一実施の形態では考えられる。一実施例では、図３に示すように、加圧による作動に伴い、接触部材６８は、簡易ベッド支持体５６Ａ，５６Ｂとの接続部、又は車軸５７、又は車輪付き運搬機１２のフレーム１６に対して、反時計回りに回転する。逆に、作動の停止に伴い、接触部材６８は、その後の支持物体６６との接触のために所定の位置に戻れるように、簡易ベッド支持体５６Ａ，５６Ｂとの接続部、又は車軸５７、又は車輪付き運搬機１２のフレーム１６に対して、時計回りに回転することができる。
【００３２】
しかし、作動及び／又は作動の停止により、接触部材は、車輪付き運搬機１２との接続部に対して、それぞれ時計回り及び反時計回りに回転するかさもなければ回動できる、と一実施の形態では考えられる。更に、接触部材６８はバネから構成されてもよい、と別の実施の形態では考えられる。接触部材６８のバネは、例えば、接触部材６８に圧力を加えると緊張することができ、接触部材６８への加圧を解除すると弛緩することができる。このようなものとして、バネが弛緩すると、バネは、その後の支持物体６６との接触のために接触部材６８を所定の位置に戻し、また、リンク部材７２により、脚部解放部材７０を回動させて、これを前脚１８又は後脚２０に係合させることができる。
【００３３】
一実施の形態では、脚部解放部材７０は、側部フレーム部材２２，２４にか、それとも車輪付き担架組立体にか、又はその他のどこであれ、通常、車輪付き運搬機１２に回動可能に接続される。これにより、脚部解放部材７０は、車輪付き運搬機１２との接続部に対して回転して、前後脚１８，２０の少なくとも１つを作動させるために解放する（動けるようにする）ことができる。しかし、脚部解放部材７０は、さもなければ、車輪付き運搬機１２との接続部に対して回動して、前後脚１８，２０の少なくとも１つを作動させるために解放することができる、と別の実施の形態では考えられる。
【００３４】
図２の一実施例では、脚部解放部材７０は通常ピン８０を含む。一実施の形態では、ピン８０は、前脚（図示せず）に回動可能に接続されると共に、軌道８１により摺動可能に支持される少なくとも１つの支持部材（図示せず）に係合及び離脱する。より具体的には、一実施の形態では、ピン８０は支持部材の穴又は凹部を通って支持部材に係合する。これにより、係合すると、ピン８０は支持部材の動きを拘束し、このようなものとして、支持部材に接続される前脚１８の折り畳みを阻止する。逆に、接触部材６８の作動により、支持部材の穴又は凹部からピン８０を後退させると、支持部材の動きが可能になり、ひいては前脚１８の折り畳みが可能になり、操作者は、脚部解放部材７０が前脚１８の固定を解除するよう機能する、解放ハンドルを手動で操作する必要がない。
【００３５】
このように、通常ピン８０を軌道８１に対して前進させたり後退させたりして、前脚１８の動きを許容又は拘束することができる。また、別の実施の形態では、脚部解放組立体７０は、前脚１８に代えて後脚２０の動きを制御するよう機能する、と考えられる。更に他の実施の形態では、後脚２０の動きを制御するために、装置７０と同様の追加の脚部解放組立体が設けられる。
【００３６】
一実施の形態では、ピン８０はバネ付勢される。バネは、前脚１８が又は別の実施の形態では後脚２０が折り畳み可能になるように、例えば、接触部材６８の作動によるピン８０の後退に伴って、緊張することができる。また、バネは、ピン８０を前進させて支持部材と係合するように、弛緩することができ、これにより、支持部材の動きを拘束し、前脚１８又は別の実施の形態では後脚２０の折り畳みを阻止する。
【００３７】
図２に示す一実施例では、脚部解放部材７０は、ピン８０の他にアクチュエータ機構８６を含む。ピン８０はアクチュエータ機構８６に接続され、機構８６はリンク部材７２に接続される。接触部材６８の作動によりリンク部材７２が回動し、これはアクチュエータ機構８６を回動させる。接触部材６８の作動によるアクチュエータ機構８６の回動は、支持部材からピン８０を離脱させ、これにより、前脚１８が又は別の実施の形態では後脚２０が折り畳み可能になる。
【００３８】
脚部解放部材７０は、ピン８０に代わる別の方法では、ラッチ、フック、爪、又は、それぞれの脚の動きを確実に拘束する本明細書に記載のピン８０の目的を果たし得るその他の装置を含むことができる、と考えられる。例えば、図４に示す別の実施例では、一対の脚部解放部７０が設けられる。各脚部解放部材７０は、軌道３１に沿った車輪付き担架機構３０の動きを阻止及び許容するために、機構３０に設けられたピン８０を係合及び離脱するように回動できる、フック・ラッチ８２を含む。
【００３９】
更に、脚部解放部材７０はバネ７８を含むことができる。バネ７８は、ラッチ８２の回動により緊張して、車輪付き前部又は後部担架組立体との係合からこれを離脱させることができ、そして、ラッチ８２の回動により弛緩して、車輪付き前部担架組立体又は別の実施の形態では車輪付き後部担架組立体を係合させることができる。ここで、バネ７８の弛緩は、接触部材６８が支持物体６６により加えられる圧力から解放されると、リンク部材７２を介して、接触部材６８を作動停止状態に回動させることができる。
【００４０】
また、脚部解放組立体は安全装置（safety catch）を含むことができる。安全装置は、その事前の解除なしでは、前脚又は後脚を折り畳みできなくするために、フック、爪、ピン、又は、前脚若しくは後脚に又はこれに接続される回動可能な部材に係止できるその他の器具として、設けられ得る。安全装置は、また、接触部材の作動によっても、安全装置に係止する前脚又は後脚を折り畳めなくすることができる。安全装置は、前脚又は後脚が係止された状態と前脚又は後脚が離脱された状態との間を回動するように、通常、車輪付き運搬機に回動可能に接続される。離脱した時に接触機構が作動すると、前脚又は後脚が折り畳めるように、解放ハンドルを設けて、安全装置の回動を係止された状態と離脱された状態の間に制御することができる。
【００４１】
更に、図４に示すように、それぞれの脚１８又は２０を手動で折り畳むために、脚部解放組立体１４は、各脚部解放部７０を解放すべく、操作者により手動で作動される解放ハンドル８８を含むことができる。解放回動バー９０が、解放ハンドル８８に接続され、例えばケーブル引き線９１を介して、両方のフック・ラッチ８２に作動可能に接続される。従って、このようにして、操作者が解放ハンドル８８を引くと、解放回動バー９０の運動を引き起こして、ひいては両方のフック・ラッチ８２をそれぞれのピン８０から離脱させ、これにより、それぞれの脚がフレーム１６に対して折り畳み可能になる。当然のことながら、手動での作動に好都合な車輪付き運搬機１２のいずれかの位置に、ハンドル８８を配置することができる。
【００４２】
他の実施の形態では、同様の手動式解放機構（即ち、解放ハンドル８８、回動バー９０、引っ張りケーブル９１）が、後脚２０に付設される脚部解放部を手動で解放するように設けられる。このようなものとして、車輪付き前部又は後部担架組立体から離脱させるように、解放ハンドル８８を作動して脚部解放部材７０を回動し、接触機構６８の作動とは無関係に、前脚１８又は後脚２０を折り畳み可能とすることができる。このようなものとして、接触機構６８の作動又は解放ハンドル８８の作動のいずれかにより、前脚１８及び後脚２０の少なくとも１つを折り畳み可能にすることができる。別の実施の形態では、解放ハンドル８８は、前後脚１８，２０の少なくとも１つを折り畳み可能にするために、脚部解放部材７０若しくは安全装置又は双方を直接又は間接的に回動するよう機能してもよい、と考えられる。
【００４３】
一実施の形態では、前脚１８の折り畳みを制御する脚部解放部材７０は、接触部材６８により前脚１８を自動的に解放するよう機能し、一方、後脚２０に付設される別の脚部解放部材７０は、接触部材６８よりはむしろ解放ハンドル８８により、後脚２０の折り畳みを制御するよう機能する。このようなものとして、一実施の形態では、簡易ベッド１０の前脚１８が前述のように自動的に折り畳まれ、そして、簡易ベッドが支持物体６６に向かって前進して、簡易ベッドもまた車輪５６Ｃにより支持物体上に支持された後に、簡易ベッド１０の操作者は、その時、後脚２０を折り畳み可能にする解放ハンドル８８と同様の解放ハンドルを作動する。
【００４４】
車輪５６Ａ，５６Ｂ及び一対の車輪５６Ｃにより簡易ベッドが支持物体６６上に支持された状態で、後脚が折り畳みのために解放されると、操作者には簡易ベッド１０の総重量の約１０％を支持するだけでよいことが好まれる。この重量の低減量は緊急車両１１への簡易ベッドの積載の容易さをかなり改善し、支持物体６６に向かって簡易ベッド１０が更に前進すると、後脚２０を折り畳んで、支持物体６６に向かう簡易ベッド１０の前進の完了を容易にする。
【００４５】
しかしながら、第二脚部解放組立体を含む簡易ベッドの他の実施の形態では、以下により詳細に説明するように、支持物体６６に向かって簡易ベッド１０が更に前進する（操作者による手動又は簡易ベッド積載装置による自動的のいずれかで）と、第二接触部材が作動して、後脚２０の折り畳みを可能にし、支持物体６６に向かう簡易ベッド１０の前進の完了を容易にするので、解放ハンドル８８の操作は不要である。また、この後者の実施の形態では、積載中に一連の解放ハンドル操作を行う必要がないため、緊急車両への簡易ベッドの積載の容易さが向上する。
【００４６】
簡易ベッド１０は、接触部材６８が作動されると、前脚１８及び後脚２０の少なくとも１つが、引き伸ばされた状態から単に解放されるというよりは、むしろ自動的に折り畳まれた状態に強いられ、支持物体６６に突き当たると折り畳み可能にされるように、電動式であっても又は機械的に駆動されてもよい、と考えられる。更に、脚部解放部材７０は、本明細書で説明するような接触部材６８の作動により機械的に案内されるというよりは、むしろ脚１８，２０をこれらとの係合から解放するように、電気的又は電子的に指令されてもよい、と考えられる。例えば、一実施の形態では、支持物体６６を一定の距離内で識別する近接センサを用いて、脚部解放部材７０に指令を出し、車輪付き前部又は後部担架組立体を離脱させて、脚１８，２０を折り畳み可能にすることができる。
【００４７】
前述の通り且つ図２に示すように、リンク部材７２は、通常、接触部材６８と脚部解放部材７０の双方に直接接続される。リンク部材７２は、通常、接触部材６８と脚部解放部材７０を作動可能に接続する剛性のバーとして設けられる。このようなものとして、リンク部材７２は、接触部材６８及び脚部解放部材７０の一方の回動を、接触部材６８及び脚部解放部材７０の他方の回動に変換するよう機能する。
【００４８】
より具体的には、リンク部材７２は、接触部材６８及び脚部解放部材７０の一方の作動（activity）を、接触部材６８及び脚部解放部材７０の他方に変換するよう機能して、接触部材６８及び脚部解放部材７０の他方の作動が、前脚１８及び後脚２０の少なくとも１つの折り畳みを許容又は阻止する際に、接触部材６８及び脚部解放部材７０の一方の作動と連動する。接触部材６８の作動には通常その作動及び作動の停止が含まれ、脚部解放部材７０の作動には、通常車輪付き前部又は後部担架組立体の係合及び離脱が含まれる。
【００４９】
更に、簡易ベッド１０は第二脚部解放組立体を含むことができる、と考えられる。このようなものとして、脚部解放組立体１４については、前脚１８の折り畳みを制御するように設けることができ、一方、第二脚部解放組立体については、後脚２０の折り畳みを制御するように設けることができる。この第二脚部解放組立体は、車輪付き運搬機１２に回動可能に接続された第二接触部材と、後脚２０に解放可能に係合する第二脚部解放部材と、第二接触部材と第二脚部解放部材を作動可能に接続したリンク部材とを含む。接触部材６８の作動と車輪付き前部担架組立体３０からの脚部解放部材７０の離脱とにより、前脚１８がフレーム１６に対して折り畳み、一方、第二接触部材の作動と車輪付き後部担架組立体からの第二脚部解放部材の離脱とにより、後脚がフレーム１６に対して折り畳む。
【００５０】
第二接触部材は、支持物体６６に向かう簡易ベッド１０の前進により、前脚１８及び後脚２０が同時ではなく順次折り畳めるように、フレーム１６の中央領域６２近傍に位置付けされ得る。これは、緊急車両の車台等の支持物体に向かって簡易ベッド１０を前進させる時、簡易ベッド１０の操作者にかかる荷重及び圧力の量を軽減させる。しかし、前脚１８及び後脚２０が同時に折り畳めるように所望されるならば、そのように第二脚部解放組立体は位置付け又は設定され得る、と考えられる。更に別の実施例では、第二解放組立体は、例えば図４が示すように、一対の解放組立体７０から構成されてもよい。
【００５１】
更に別の実施の形態では、第二脚部解放組立体は、本明細書に説明される脚部解放組立体１４とは異なって、設定されても又は作動してもよい。例えば、可能性のある１つの好適な第二脚部解放組立体は、発明の名称が「転動式の簡易ベッド」であり、且つ、共同所有で同時継続の米国特許第７,４２４,７５８号によって、説明される。この米国特許の開示は、参照により本明細書に完全に援用される。
【００５２】
以上に述べた説明に基づいて、次のように考えられる。脚部解放組立体１４は、緊急車両の車台に向かって簡易ベッド１０が前進する間、前後脚１８，２０の少なくとも１つを自動的に解放する。脚部解放組立体１４は、全体的に簡易ベッド１０内に収容され得る。脚部解放部材は、接触部材６８の作動により、前後脚１８，２０の少なくとも１つをその係合から解放するように、回動される。接触部材６８への十分な加圧により、接触部材６８が緊急車両の積載領域／車台と接触すると、前後脚１８，２０の少なくとも１つの折り畳みが可能になる。接触部材の作動は、車輪付き担架組立体に係合する脚部解放部材７０を回動して、前後脚１８，２０の少なくとも１つをフレーム１６に対して引き伸ばし状態に固定する。
【００５３】
接触部材６８又は多重接触部材６８は、脚部解放部材７０を回動して複数の脚１８，２０から同時に又は連続して脱離させる。一実施の形態では、ピン８０が、接触部材６８の回動により回動して、前脚１８又は後脚２０に接続された車輪付き担架組立体から後退し、脚１８，２０が折り畳み可能になる。そして、緊急車両１１から簡易ベッド１０を取り出す時、脚部解放組立体１４は前述とは逆の順序で作動して、脚部解放部材７０により再び係合されるようになった脚１８，２０の引き伸ばしが可能になり、簡易ベッド１０の陸上搬送を容易にする。
【００５４】
更に、別の実施の形態は支持物体への簡易ベッドの積載方法を含む、と考えられる。この方法は、一般に、簡易ベッドを支持物体に向かって前進させ、簡易ベッドの車輪付き運搬機に回動可能に接続された接触部材を支持物体と接触させて、接触部材を回動及び作動し、ここで、接触部材の作動により、簡易ベッドの脚部解放部材が車輪付き運搬機の前脚から自動的に離脱して、前脚を折り畳み可能にさせ、そして、簡易ベッドを支持物体に向かって更に前進させて、後脚を折り畳む、ことを含む。
【００５５】
前記方法は、第二脚部解放部材を回動して車輪付き運搬機の後脚から離脱するように、解放ハンドルを作動して、後脚を折り畳み可能にさせ、そして、簡易ベッドを支持物体に向かって更に前進させて、後脚を折り畳むと共に、支持物体への簡易ベッドの前進を完了する、ことを更に含むことができる。別の実施の形態では、後脚から自動的に離脱して後脚を折り畳み可能にする、第二接触部材を使用することができる。
【００５６】
車輪付き運搬機１２を含めた簡易ベッド１０の特定の構成は、本発明の実施例に従って簡易ベッド１０の脚１８，２０の折り畳みを自動的に可能にする、脚部解放組立体１４を説明するためのものであることが理解されるべきである。脚部解放組立体１４は、積載高さが調節可能な簡易ベッドを含め、簡易ベッドの配置が調節可能な多くの他の転動式の調節可能が簡易ベッドの使用に適応され得る。しかしながら、説明及び例示のために、図1に示す簡易ベッドの構成が用いられる。
【００５７】
当業者は、本明細書に説明された実施例及び実施の形態が、これらの実施例及び実施の形態の精神及び範囲から逸脱することなく明白な様々な改良又は修正に従い得ることを理解するであろう。
【図１】
2014097412.tif 000003
【図２】
2014097412.tif 000004
【図３】
2014097412.tif 000005
【図４】
2014097412.tif 000006
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
車輪付き運搬機（１２）及び脚部解放組立体（１４）を含む簡易ベッド（１０）であって、
車輪付き運搬機（１２）は、フレーム（１６）と、フレーム（１６）に回動可能に接続された前脚（１８）と、フレーム（１６）に回動可能に接続された後脚（２０）とを含み、
脚部解放組立体（１４）は、車輪付き運搬機（１２）に回動可能に接続された接触部材（６８）と、前脚（１８）及び後脚（２０）の少なくとも１つに解放可能に係合する回動可能な脚部解放部材（７０）と、接触部材（６８）の回動動作と脚部解放部材（７０）の回動動作との何れか一方を他方へ変換伝達するリンク部材（７２）とを含み、
前記接触部材（６８）は、支持物体（６６）への簡易ベッド（１０）の前進により支持物体（６６）と接触するように位置付けされ、前記接触部材（６８）は、支持物体（６６）への簡易ベッド（１０）の前進に伴う前記支持物体（６６）に対する接触により生じた反力により加圧されて作動することにより、前脚（１８）及び後脚（２０）の少なくとも１つが前記リンク部材（７２）及び前記脚部解放部材（７０）の順次作動を介してフレーム（１６）に対して折り畳められ、
前記脚部解放部材（７０）は、接触部材（６８）の作動により前脚（１８）及び後脚（２０）の少なくとも１つから離脱するように回動し、
前記前脚（１８）及び後脚（２０）の少なくとも１つは、脚部解放部材（７０）からの離脱によりフレーム（１６）に対して折り畳めるものであり、
前記車輪付き運搬機（１２）が、フレーム（１６）の先端部に近接して接続された簡易ベッド支持体（５６Ａ−５６Ｅ）を更に含み、前記接触部材（６８）が該接触部材（６８）への加圧により簡易ベッド支持体（５６Ａ−５６Ｅ）に対して回動するように、接触部材（６８）が簡易ベッド支持体（５６Ａ−５６Ｅ）に回動可能に接続され、
前記脚部解放組立体（１４）が解放ハンドル（８８）を更に含み、該解放ハンドル（８８）が手動により作動されて前記脚部解放部材（７０）を解放することにより、接触部材（６８）の作動とは無関係に、前脚（１８）及び後脚（２０）の少なくとも１つをフレーム（１６）に対して折り畳み可能に作動できる、前記簡易ベッド。
【請求項２】
請求項１に記載の簡易ベッド（１０）において、前記フレーム（１６）が車輪付き前部担架組立体（３０）及び車輪付き後部担架組立体（３０）を含み、前記車輪付き前部担架組立体（３０）及び車輪付き後部担架組立体（３０）が、それぞれ少なくとも１つの回動部材（１９，５３）を含み、前記前脚（１８）が車輪付き前部担架組立体（３０）の回動部材（１９）に回動可能に接続され、前記後脚（２０）が車輪付き後部担架組立体（３０）の回動部材（５３）に回動可能に接続される、簡易ベッド。
【請求項３】
請求項２に記載の簡易ベッド（１０）において、前記脚部解放部材（７０）の第１の係合部材（８２）が車輪付き前部担架組立体（３０）及び車輪付き後部担架組立体（３０）の少なくとも１つの第２の係合部材（８０）に解放可能に係合すると共に、前記脚部解放部材（７０）の第１の係合部材（８２）が、接触部材（６８）の作動により、前脚（１８）及び後脚（２０）の少なくとも１つがフレーム（１６）に対して折り畳めるように、車輪付き前部担架組立体（３０）及び車輪付き後部担架組立体（３０）の前記少なくとも１つの係合部材（８０）から離脱する、簡易ベッド。
【請求項４】
請求項１に記載の簡易ベッド（１０）において、前記脚部解放部材（７０）はバネ（７８）を含み、該バネ（７８）は前記脚部解放部材（７０）が回動することにより緊張して前後脚（１８、２０）の少なくとも１つが脚部解放部材（７０）から離脱するのを許容すると共に、脚部解放部材（７０）の回動復帰により弛緩して前後脚（１８、２０）の少なくとも１つが脚部解放部材（７０）に係合復帰するのを許容する、簡易ベッド。
【請求項５】
請求項４に記載の簡易ベッド（１０）において、前記前後脚（１８、２０）の少なくとも１つに係合する脚部解放部材（７０）の回動により接触部材（６８）への加圧が解除されると、前記接触部材（６８）が作動を停止する、簡易ベッド。
【請求項６】
請求項１に記載の簡易ベッド（１０）において、加圧による前記接触部材（６８）の作動に伴って緊張すると共に、加圧の解除による接触部材（６８）の作動停止に伴って弛緩する、バネを接触部材（６８）が含む、簡易ベッド。
【請求項７】
請求項６に記載の簡易ベッド（１０）において、前記脚部解放部材（７０）が、接触部材（６８）の作動停止により前脚（１８）及び後脚（２０）の少なくとも１つに係合するように回動する、簡易ベッド。
【請求項８】
請求項１に記載の簡易ベッド（１０）において、前記接触部材（６８）及び脚部解放部材（７０）の他方の作動が、前脚（１８）及び後脚（２０）の少なくとも１つの固定時又は固定からの解除時に、接触部材（６８）及び脚部解放部材（７０）の一方の作動に連動するように、前記リンク部材（７２）が接触部材（６８）及び脚部解放部材（７０）の一方の作動を接触部材（６８）及び脚部解放部材（７０）の他方に変換し、前記接触部材（６８）の作動が、該接触部材（６８）の作動及び作動停止を含み、前記脚部解放部材（７０）の作動が、前脚（１８）及び後脚（２０）の少なくとも１つの係合及び離脱を含む、簡易ベッド。
【請求項９】
請求項１に記載の簡易ベッド（１０）において、前記簡易ベッド（１０）が、車輪付き運搬機（１２）のフレーム（１６）上面に取り付けられた患者支持部（２６）を更に含む、簡易ベッド。
【請求項１０】
請求項１に記載の簡易ベッド（１０）において、前記簡易ベッド（１０）が、フレーム（１６）の中央領域及びフレーム（１６）の後端部（６４）の少なくとも１つに近接して接続された１以上の簡易ベッド支持体（５６Ａ−５６Ｅ）を更に含む、簡易ベッド。
【請求項１１】
請求項１に記載の簡易ベッド（１０）において、前記脚部解放組立体（１４）が、安全装置の解除前に、前脚（１８）及び後脚（２０）の少なくとも１つを折り畳めなくする安全装置を更に含む、簡易ベッド。
【請求項１２】
請求項１に記載の簡易ベッド（１０）において、前記簡易ベッド（１０）が、車輪付き運搬機（１２）に回動可能に接続された第二接触部材（６８）と、後脚（２０）に解放可能に係合される第二脚部解放部材（７０）と、第二接触部材（６８）と第二脚部解放部材（７０）を作動可能に接続したリンク部材（７２）とから構成される、第二脚部解放組立体（１４）を含み、
前記接触部材（６８）の作動により前脚（１８）がフレーム（１６）に対して折り畳めるように、前記脚部解放組立体（１４）が前脚（１８）に解放可能に係合し、
前記第二接触部材（６８）の作動により後脚（２０）がフレーム（１６）に対して折り畳めるように、前記第二脚部解放組立体（１４）が後脚（２０）に解放可能に係合する、簡易ベッド。
【手続補正２】
【補正対象書類名】明細書
【補正対象項目名】００５７
【補正方法】変更
【補正の内容】
【００５７】
当業者は、本明細書に説明された実施例及び実施の形態が、これらの実施例及び実施の形態の精神及び範囲から逸脱することなく明白な様々な改良又は修正に従い得ることを理解するであろう。当初の請求項の記載は以下の通りである。
（請求項１）
車輪付き運搬機及び脚部解放組立体を含む簡易ベッドであって、
車輪付き運搬機は、フレームと、フレームに回動可能に接続された前脚と、フレームに回動可能に接続された後脚とを含み、
脚部解放組立体は、車輪付き運搬機に回動可能に接続された接触部材と、前脚及び後脚の少なくとも１つに解放可能に係合する回動可能な脚部解放部材と、接触部材と脚部解放部材を作動可能に接続したリンク部材とを含み、
前記接触部材は、圧力感応性であり、接触部材への加圧により作動し、
前記脚部解放部材は、接触部材の作動により前脚及び後脚の少なくとも１つから離脱するように回動し、
前記前脚及び後脚の少なくとも１つは、脚部解放部材からの離脱によりフレームに対して折り畳める前記簡易ベッド。
（請求項２）
前記フレームが車輪付き前部担架組立体及び車輪付き後部担架組立体を含み、前記車輪付き前部担架組立体及び車輪付き後部担架組立体が、共通の軌道を共有し、且それぞれ少なくとも１つの回動部材を含み、前記前脚が車輪付き前部担架組立体の回動部材に回動可能に接続され、前記後脚が車輪付き後部担架組立体の回動部材に回動可能に接続される、請求項１に記載の簡易ベッド。
（請求項３）
前記脚部解放部材が、車輪付き前部担架組立体及び車輪付き後部担架組立体の少なくとも１つに解放可能に係合すると共に、接触部材の作動により、前脚及び後脚の少なくとも１つがフレームに対して折り畳めるように、車輪付き前部担架組立体及び車輪付き後部担架組立体の少なくとも１つから離脱する、請求項２に記載の簡易ベッド。
（請求項４）
前記脚部解放部材の回動により緊張して前後脚の少なくとも１つから離脱させると共に、脚部解放部材の回動により弛緩して前後脚の少なくとも１つに係合させる、バネを脚部解放部材が含む、請求項１に記載の簡易ベッド。
（請求項５）
前記前後脚の少なくとも１つに係合する脚部解放部材の回動により接触部材への加圧が解除されると、前記接触部材が作動を停止する、請求項４に記載の簡易ベッド。
（請求項６）
加圧による前記接触部材の作動に伴って緊張すると共に、加圧の解除による接触部材の作動停止に伴って弛緩する、バネを接触部材が含む、請求項１に記載の簡易ベッド。
（請求項７）
前記脚部解放部材が、接触部材の作動停止により前脚及び後脚の少なくとも１つに係合するように回動する、請求項６に記載の簡易ベッド。
（請求項８）
前記接触部材及び脚部解放部材の他方の作動が、前脚及び後脚の少なくとも１つの固定時又は固定からの解除時に、接触部材及び脚部解放部材の一方の作動に連動するように、前記リンク部材が接触部材及び脚部解放部材の一方の作動を接触部材及び脚部解放部材の他方に変換し、前記接触部材の作動が、該接触部材の作動及び作動停止を含み、前記脚部解放部材の作動が、前脚及び後脚の少なくとも１つの係合及び離脱を含む、請求項１に記載の簡易ベッド。
（請求項９）
前記接触部材が、支持物体への簡易ベッドの前進により支持物体と接触するように位置付けされ、支持物体への簡易ベッドの前進に伴う前記接触部材との支持物体の接触により、前脚及び後脚の少なくとも１つがフレームに対して折り畳めるように、接触部材が作動する、請求項１に記載の簡易ベッド。
（請求項１０）
前記簡易ベッドが、車輪付き運搬機のフレーム上面に取り付けられた患者支持部を更に含む、請求項１に記載の簡易ベッド。
（請求項１１）
前記車輪付き運搬機が、フレームの先端部に近接して接続された簡易ベッド支持部を更に含み、前記接触部材が該接触部材への加圧により簡易ベッド支持部に対して回動するように、接触部材が簡易ベッド支持部に回動可能に接続される、請求項１に記載の簡易ベッド。
（請求項１２）
前記簡易ベッドが、フレームの中央領域及びフレームの後端部の少なくとも１つに近接して接続された１以上の簡易ベッド支持部を更に含む、請求項１１に記載の簡易ベッド。
（請求項１３）
前記脚部解放組立体が、接触部材の作動とは無関係に、前脚及び後脚の少なくとも１つをフレームに対して折り畳み可能に作動できる、解放ハンドルを更に含む、請求項１に記載の簡易ベッド。
（請求項１４）
前記脚部解放組立体が、安全装置の解除前に、前脚及び後脚の少なくとも１つを折り畳めなくする安全装置を更に含む、請求項１に記載の簡易ベッド。
（請求項１５）
前記簡易ベッドが、車輪付き運搬機に回動可能に接続された第二接触部材と、後脚に解放可能に係合される第二脚部解放部材と、第二接触部材と第二脚部解放部材を作動可能に接続したリンク部材とから構成される、第二脚部解放組立体を含み、
前記接触部材の作動により前脚がフレームに対して折り畳めるように、前記脚部解放組立体が前脚に解放可能に係合し、
前記第二接触部材の作動により後脚がフレームに対して折り畳めるように、前記第二脚部解放組立体が後脚に解放可能に係合する、請求項１に記載の簡易ベッド。
【外国語明細書】
2014097412000001.pdf